(57)【要約】【課題】表示品質が向上した表示装置を提供する。【解決手段】表示装置は、表示パネル及びパネル駆動部を含む。表示パネルは、第１有機発光ダイオードを備える第１画素を含む。パネル駆動部は、表示パネルに表示される第１フレーム映像の階調が第１基準階調より低い場合に、表示パネルに第１フレーム映像が表示される間に第１有機発光ダイオードのアノード電極に第１電圧を印加する。【選択図】図１
2018013766.tif 000002
【特許請求の範囲】
【請求項１】
第１有機発光ダイオードを備える第１画素を含む表示パネルと、
前記表示パネルに表示される第１フレーム映像の階調が第１基準階調より低い場合に、前記表示パネルに前記第１フレーム映像が表示される間に前記第１有機発光ダイオードのアノード（anode）電極に第１電圧を印加するパネル駆動部を含むことを特徴とする、表示装置。
【請求項２】
前記第１電圧は前記第１有機発光ダイオードを初期化させるための初期化電圧であることを特徴とする、請求項１に記載の表示装置。
【請求項３】
前記第１画素は、
前記第１有機発光ダイオードのアノード電極と前記初期化電圧との間に連結され、第１初期化制御信号が印加されるゲート電極を備える第１トランジスタをさらに含むことを特徴とする、請求項２に記載の表示装置。
【請求項４】
前記パネル駆動部は、
前記第１フレーム映像に相応する映像データに基づいて第１データ信号を発生するデータ駆動部と、
前記第１データ信号に基づいて前記第１フレーム映像の階調を確認して前記第１初期化制御信号を発生する初期化制御部を含むことを特徴とする、請求項３に記載の表示装置。
【請求項５】
前記初期化制御部は、
前記第１データ信号を受信する第１入力端子、前記第１基準階調に相応する第１基準信号を受信する第２入力端子、及び前記第１初期化制御信号を出力する出力端子を備える比較器を含むことを特徴とする、請求項４に記載の表示装置。
【請求項６】
前記初期化制御部は、前記第１データ信号の電圧レベルが前記第１基準信号の電圧レベルより高い場合に、前記第１フレーム映像の階調が前記第１基準階調より低いと判断して前記第１初期化制御信号を活性化させ、
前記第１初期化制御信号が活性化される場合に、前記第１有機発光ダイオードのアノード電極に前記初期化電圧が印加されることを特徴とする、請求項５に記載の表示装置。
【請求項７】
前記初期化制御部は、前記表示パネル上に配置されることを特徴とする、請求項４に記載の表示装置。
【請求項８】
前記初期化制御部は、前記データ駆動部内に配置されることを特徴とする、請求項４に記載の表示装置。
【請求項９】
前記パネル駆動部は、
前記第１フレーム映像の階調が前記第１基準階調より低い場合、及び前記第１フレーム映像と連続して前記表示パネルに表示される第２フレーム映像の階調が第２基準階調より高い場合に、前記表示パネルに前記第１フレーム映像が表示される間に前記第１有機発光ダイオードのアノード電極に前記第１電圧を印加することを特徴とする、請求項１に記載の表示装置。
【請求項１０】
前記パネル駆動部は、
前記第１フレーム映像の階調が前記第１基準階調より低い場合、及び前記第２フレーム映像の階調が前記第２基準階調より高い場合に、前記第１フレーム映像を追加で変調することを特徴とする、請求項９に記載の表示装置。
【発明の詳細な説明】
【技術分野】
【０００１】
本発明は表示装置に関し、より詳しくは、表示品質を改善することができる表示装置及び前記表示装置の駆動方法に関する。
【背景技術】
【０００２】
有機発光表示装置は、有機発光ダイオード（Organic Light Emitting Diode：ＯＬＥＤ）を用いて映像を表示する。有機発光ダイオードは、アノード電極（anode）から提供される正孔とカソード電極（cathode）から提供される電子がアノード電極及びカソード電極の間の発光層で結合して発光する。
【０００３】
有機発光表示装置は、赤色光を出力する赤色画素、緑色光を出力する緑色画素、及び青色光を出力する青色画素を含むことができる。画素の色相によって１つの画素を充電することに必要な充電時間が相異することがあり、有機発光表示装置の解像度が高まるにつれて充電時間は短くなっている。したがって、有機発光表示装置で低階調映像を表示するか、または画面転換が発生する場合に、一部の画素が、発光量が足りないか、または所望の輝度まで到達できないため、画面残像現象、色滲みなどの表示不良を起こすことがある。
【発明の概要】
【発明が解決しようとする課題】
【０００４】
本発明の目的は、表示品質が向上した表示装置を提供することにある。
【０００５】
本発明の他の目的は、前記表示装置の駆動方法を提供することにある。
【課題を解決するための手段】
【０００６】
前記の目的を達成するために、本発明の実施形態に係る表示装置は、表示パネル及びパネル駆動部を含む。前記表示パネルは、第１有機発光ダイオードを備える第１画素を含む。前記パネル駆動部は、前記表示パネルに表示される第１フレーム映像の階調が第１基準階調より低い場合に、前記表示パネルに前記第１フレーム映像が表示される間に前記第１有機発光ダイオードのアノード（anode）電極に第１電圧を印加する。
【０００７】
一実施形態において、前記第１電圧は前記第１有機発光ダイオードを初期化させるための初期化電圧でありうる。
【０００８】
一実施形態において、前記第１画素は第１トランジスタをさらに含むことができる。前記第１トランジスタは、前記第１有機発光ダイオードのアノード電極と前記初期化電圧との間に連結され、第１初期化制御信号が印加されるゲート電極を備えることができる。
【０００９】
一実施形態において、前記パネル駆動部はデータ駆動部及び初期化制御部を含むことができる。前記データ駆動部は、前記第１フレーム映像に相応する映像データに基づいて第１データ信号を発生することができる。前記初期化制御部は、前記第１データ信号に基づいて前記第１フレーム映像の階調を確認して前記第１初期化制御信号を発生することができる。
【００１０】
一実施形態において、前記初期化制御部は比較器を含むことができる。前記比較器は、前記第１データ信号を受信する第１入力端子、前記第１基準階調に相応する第１基準信号を受信する第２入力端子、及び前記第１初期化制御信号を出力する出力端子を備えることができる。
【００１１】
一実施形態において、前記初期化制御部は前記第１データ信号の電圧レベルが前記第１基準信号の電圧レベルより高い場合に、前記第１フレーム映像の階調が前記第１基準階調より低いと判断して、前記第１初期化制御信号を活性化させることができる。前記第１初期化制御信号が活性化される場合に、前記第１有機発光ダイオードのアノード電極に前記初期化電圧が印加できる。
【００１２】
一実施形態において、前記初期化制御部は前記表示パネル上に配置できる。
【００１３】
一実施形態において、前記初期化制御部は前記データ駆動部内に配置できる。
【００１４】
一実施形態において、前記パネル駆動部は前記第１フレーム映像の階調が前記第１基準階調より低い場合、及び前記第１フレーム映像と連続して前記表示パネルに表示される第２フレーム映像の階調が第２基準階調より高い場合に、前記表示パネルに前記第１フレーム映像が表示される間に前記第１有機発光ダイオードのアノード電極に前記第１電圧を印加することができる。
【００１５】
一実施形態において、前記パネル駆動部は前記第１フレーム映像の階調が前記第１基準階調より低い場合、及び前記第２フレーム映像の階調が前記第２基準階調より高い場合に、前記第１フレーム映像を追加的に変調することができる。
【発明の効果】
【００１６】
前記のような本発明の実施形態に係る表示装置及びその駆動方法によれば、現在映像の階調を確認するか、または現在映像及び次の映像の階調を確認し、前記階調確認結果によって各画素に含まれる有機発光ダイオードに初期化電圧を印加する選択的ＢＣＢ動作を遂行することができる。したがって、色滲みなどの表示不良を防止することができ、色偏差、輝度偏差などの特性が改善されることができ、表示装置の表示品質が向上できる。
【００１７】
また、本発明の実施形態に係る表示装置及びその駆動方法によれば、動映像のように多数の映像を順次的または連続的に表示するか、またはスクロール動作を遂行するように画面転換が発生する場合に、現在映像及び次の映像の階調を確認し、前記階調確認結果によって現在映像の階調を選択的に変更することができる。したがって、画面残像現象、色滲みなどの表示不良を防止することができ、表示装置の表示品質が向上できる。
【図面の簡単な説明】
【００１８】
【図１】本発明の実施形態に係る表示装置を示すブロック図である。
【図２ａ】本発明の実施形態に係る表示装置の動作を説明するための図である。
【図２ｂ】本発明の実施形態に係る表示装置の動作を説明するための図である。
【図３】図１の表示装置の一例を示すブロック図である。
【図４】図３の表示装置に含まれる第１画素及び初期化制御部を示す図である。
【図５ａ】図４の初期化制御部の例を示すブロック図である。
【図５ｂ】図４の初期化制御部の例を示すブロック図である。
【図６】図１の表示装置の他の例を示すブロック図である。
【図７】図１の表示装置の他の例を示すブロック図である。
【図８】図１の表示装置の他の例を示すブロック図である。
【図９】図８の表示装置に含まれる第１画素及び初期化制御部を示す図である。
【図１０】本発明の実施形態に係る表示装置の駆動方法を示すフローチャートである。
【図１１ａ】図１０の階調確認動作を遂行するステップの例を示すフローチャートである。
【図１１ｂ】図１０の階調確認動作を遂行するステップの例を示すフローチャートである。
【図１２】図１０の第１電圧を選択的に印加するステップの一例を示すフローチャートである。
【図１３】本発明の実施形態に係る表示装置を示すブロック図である。
【図１４ａ】本発明の実施形態に係る表示装置の動作を説明するための図である。
【図１４ｂ】本発明の実施形態に係る表示装置の動作を説明するための図である。
【図１４ｃ】本発明の実施形態に係る表示装置の動作を説明するための図である。
【図１５】本発明の実施形態に係る表示装置の動作特性を説明するためのグラフである。
【図１６ａ】本発明の実施形態に係る表示装置の動作特性を説明するためのグラフである。
【図１６ｂ】本発明の実施形態に係る表示装置の動作特性を説明するためのグラフである。
【図１７ａ】本発明の実施形態に係る表示装置の動作を説明するための図である。
【図１７ｂ】本発明の実施形態に係る表示装置の動作を説明するための図である。
【図１７ｃ】本発明の実施形態に係る表示装置の動作を説明するための図である。
【図１８ａ】本発明の実施形態に係る表示装置の動作を説明するための図である。
【図１８ｂ】本発明の実施形態に係る表示装置の動作を説明するための図である。
【図１９】図１３の表示装置の一例を示すブロック図である。
【図２０】図１９の表示装置に含まれるタイミング制御部の一例を示すブロック図である。
【図２１】図１３の表示装置の他の例を示すブロック図である。
【図２２】図２１の表示装置に含まれるタイミング制御部の一例を示すブロック図である。
【図２３】図２１の表示装置に含まれるデータ駆動部の一例を示すブロック図である。
【図２４】図１３の表示装置の更に他の例を示すブロック図である。
【図２５】本発明の実施形態に係る表示装置の駆動方法を示すフローチャートである。
【図２６】図２５の階調確認動作を遂行するステップの一例を示すフローチャートである。
【図２７】図２５の選択的変調動作を遂行するステップの一例を示すフローチャートである。
【図２８】図２５の階調確認動作を遂行するステップの他の例を示すフローチャートである。
【図２９】図２５の選択的変調動作を遂行するステップの他の例を示すフローチャートである。
【図３０】本発明の実施形態に係る表示装置を示すブロック図である。
【図３１】本発明の実施形態に係る表示装置を含む電子機器を示すブロック図である。
【図３２ａ】図３１の電子機器がテレビ及びスマートフォンで具現された例を示す図である。
【図３２ｂ】図３１の電子機器がテレビ及びスマートフォンで具現された例を示す図である。
【発明を実施するための形態】
【００１９】
以下、添付した図面を参照して、本発明の実施形態をより詳細に説明する。図面上の同一な構成要素に対しては同一な参照符号を使用し、同一な構成要素に対する重複説明は省略する。
【００２０】
図１は、本発明の実施形態に係る表示装置を示すブロック図である。
【００２１】
図１を参照すると、表示装置１０は、パネル駆動部２０及び表示パネル３０を含む。
【００２２】
パネル駆動部２０は、入力映像データ（ＩＤＡＴ）に基づいて複数のデータ信号（例えば、第１データ信号（ＤＳ１））を発生し、前記複数のデータ信号に基づいて映像に対する階調確認動作を遂行する。パネル駆動部２０は、前記階調確認動作の結果に基づいて複数の初期化制御信号（例えば、第１初期化制御信号（ＧＢ１））を発生する。また、パネル駆動部２０は入力制御信号（ＩＣＯＮＴ）に基づいてパネル制御信号（ＰＣＯＮＴ）を発生することができ、初期化電圧（ＶＩＮＴ）を発生することができる。
【００２３】
表示パネル３０は複数の画素（例えば、第１画素ＰＸ１）を含み、前記複数のデータ信号、前記複数の初期化制御信号、パネル制御信号（ＰＣＯＮＴ）、及び初期化電圧（ＶＩＮＴ）に基づいて映像を表示する。
【００２４】
本発明の実施形態に係る表示装置１０において、表示パネル３０は複数のフレーム映像を表示することができ、表示パネル３０に含まれる前記複数の画素の各々は前記フレーム映像の一部である部分映像を表示することができる。映像を表示するための前記複数の画素の各々の動作は実質的に同一でありうるので、以下では１つの画素ＰＸ１に基づいて本発明の実施形態を詳細に説明する。
【００２５】
図４及び図９を参照して後述するように、第１画素ＰＸ１は第１有機発光ダイオードを含み、前記第１有機発光ダイオードと連結される第１初期化部を含む。パネル駆動部２０は、前記階調確認動作の結果に基づいて前記第１有機発光ダイオードに第１電圧を選択的に印加する。
【００２６】
一実施形態において、前記階調確認動作は第１映像が低階調映像なのかを確認する動作を示すことができる。例えば、パネル駆動部２０は前記第１映像の階調と第１基準階調とを比較して第１初期化制御信号（ＧＢ１）を発生することができる。前記第１映像の階調が前記第１基準階調より低い場合に、第１初期化制御信号（ＧＢ１）が活性化されることができ、前記第１映像が表示される間に活性化された第１初期化制御信号（ＧＢ１）に基づいて前記第１初期化部が活性化されて前記第１有機発光ダイオードのアノード（anode）電極に前記第１電圧が印加できる。例えば、前記第１電圧は初期化電圧（ＶＩＮＴ）でありうる。
【００２７】
他の実施形態において、前記階調確認動作は前記第１映像が低階調映像なのかを確認し、前記第１映像と連続する（即ち、前記第１映像の以後の）第２映像が高階調映像なのか否かを確認する一連の動作を示すことができる。例えば、パネル駆動部２０は前記第１及び第２映像の階調と第１及び第２基準階調とを比較して第１初期化制御信号（ＧＢ１）を発生することができる。前記第１映像の階調が前記第１基準階調より低い場合、及び前記第２映像の階調が前記第２基準階調より高い場合に、第１初期化制御信号（ＧＢ１）が活性化されることができ、前記第１映像が表示される間に活性化された第１初期化制御信号（ＧＢ１）に基づいて前記第１初期化部が活性化されて前記第１有機発光ダイオードのアノード電極に前記第１電圧が印加できる。
【００２８】
前記階調確認動作の結果によって第１初期化制御信号（ＧＢ１）が活性化され、前記第１初期化部が活性化される場合に、前記第１映像が表示される間に前記第１電圧（例えば、初期化電圧（ＶＩＮＴ））が前記第１有機発光ダイオードに印加されることができ、これによって低階調映像（例えば、ブラック映像）を表示するための最小電流であるブラック電流が迂回（bypass）できる。上記のように電圧印加を用いて有機発光ダイオードを流れる電流を制御することをＢＣＢ（Black Current Bypass）機能と称することができる。
【００２９】
本発明の実施形態に係る表示装置１０は、現在映像の階調を確認するか、または現在映像及び次の映像の階調を確認し、前記階調確認結果によって各画素に含まれる有機発光ダイオードに前記第１電圧（例えば、初期化電圧（ＶＩＮＴ））を選択的に印加することができる。上記のように階調確認結果によってＢＣＢ機能を選択的に遂行することによって、色滲みなどの表示不良を防止することができ、色偏差、輝度偏差などの特性が改善されることができ、表示装置１０の表示品質が向上できる。
【００３０】
図２ａ及び図２ｂは、本発明の実施形態に係る表示装置の動作を説明するための図である。図２ａ及び図２ｂは、図１の表示パネル３０に全体的に表示されるフレーム映像、または図１の第１画素ＰＸ１に表示される部分映像の例を示す。
【００３１】
図１及び図２ａを参照すると、本発明の実施形態に係る表示装置１０は、前述した階調確認動作及び選択的ＢＣＢ動作を画素単位で遂行することができる。
【００３２】
具体的に、パネル駆動部２０は第１画素ＰＸ１に印加される第１データ信号（ＤＳ１）に基づいて第１映像ＩＭＧ１の階調を判断することができる。
【００３３】
前記第１映像ＩＭＧ１の階調が前記第１基準階調より低い場合に、パネル駆動部２０は第１初期化制御信号（ＧＢ１）を活性化させることができる。例えば、パネル駆動部２０は第１データ信号（ＤＳ１）の電圧レベルに基づいて第１映像ＩＭＧ１の階調を判断することができる。
【００３４】
前記第１基準階調は、第１映像ＩＭＧ１が低階調映像なのかを判断する基準を示すことができる。例えば、０階調から２５５階調まで２５６個の階調が表現できるように表示パネル３０が具現される場合に、前記第１基準階調は３階調でありうる。
【００３５】
図２ａの例で、前記第１映像ＩＭＧ１の階調は前記第１基準階調（例えば、３階調）より低い０階調でありうる。言い換えると、第１映像ＩＭＧ１は低階調映像（例えば、ブラック映像）でありうる。この場合、活性化された第１初期化制御信号（ＧＢ１）に基づいて前記第１初期化部が活性化されることができ、これによって第１画素ＰＸ１内の前記第１有機発光ダイオードに初期化電圧（ＶＩＮＴ）が印加されて前記第１有機発光ダイオードがターンオフされることができ、前記ＢＣＢ機能が活性化されて前記第１基準階調より低い第１映像ＩＭＧ１の表示品質が向上できる。
【００３６】
一方、前記第１映像ＩＭＧ１の階調が前記第１基準階調より高いか等しい場合に、パネル駆動部２０は第１初期化制御信号（ＧＢ１）を活性化させないことがある。この場合、不活性化された第１初期化制御信号（ＧＢ１）に基づいて前記第１初期化部が不活性化されることができ、これによって、前記ＢＣＢ機能を不活性化できる。
【００３７】
図１、図２ａ、及び図２ｂを参照すると、パネル駆動部２０は第１画素ＰＸ１に印加される第１データ信号（ＤＳ１）に基づいて第１映像ＩＭＧ１の階調及び第１映像ＩＭＧ１と連続する第２映像ＩＭＧ２の階調を判断することができる。
【００３８】
前記第１映像ＩＭＧ１の階調が前記第１基準階調より低い場合、及び前記第２映像ＩＭＧ２の階調が前記第２基準階調より高い場合に、パネル駆動部２０は第１初期化制御信号（ＧＢ１）を活性化させることができる。
【００３９】
前記第２基準階調は、第２映像ＩＭＧ２が高階調映像なのかを判断する基準を示すことができる。例えば、０階調から２５５階調まで２５６個の階調が表現できるように表示パネル３０が具現される場合に、前記第２基準階調は２５２階調でありうる。
【００４０】
図２ｂの例で、前記第２映像ＩＭＧ２の階調は前記第２基準階調（例えば、２５２階調）より高い２５５階調でありうる。言い換えると、第２映像ＩＭＧ２は高階調映像（例えば、ホワイト映像）でありうる。
【００４１】
図２ａ及び２ｂの例で、第１映像ＩＭＧ１が低階調映像であり、第２映像ＩＭＧ２が高階調映像であるので、活性化された第１初期化制御信号（ＧＢ１）に基づいて前記第１初期化部が活性化されることができ、これによって第１画素ＰＸ１内の前記第１有機発光ダイオードに初期化電圧（ＶＩＮＴ）が印加されて前記第１有機発光ダイオードがターンオフされることができ、前記ＢＣＢ機能を活性化できる。
【００４２】
一方、前記第１映像ＩＭＧ１の階調が前記第１基準階調より高いか等しい場合、または前記第２映像ＩＭＧ２の階調が前記第２基準階調より低いか等しい場合に、パネル駆動部２０は第１初期化制御信号（ＧＢ１）を活性化させないことがある。この場合、不活性化された第１初期化制御信号（ＧＢ１）に基づいて前記第１初期化部が不活性化されることができ、これによって前記ＢＣＢ機能が不活性化できる。
【００４３】
図２ａ及び２ｂを参照して特定階調値に基づいて本発明の実施形態を説明したが、本発明の実施形態は任意の低階調映像に対し、または任意の低階調映像から任意の高階調映像に画面転換が発生する場合に、ＢＣＢ機能を活性化する多様な実施形態に対して適用できる。
【００４４】
図３は、図１の表示装置の一例を示すブロック図である。
【００４５】
図３を参照すると、表示装置１００ａは、パネル駆動部及び表示パネル３００ａを含む。前記パネル駆動部は、タイミング制御部２１０、データ駆動部２２０、スキャン駆動部２３０、発光駆動部２４０、給電部２５０、及び初期化制御部２６０を含むことができる。
【００４６】
表示パネル３００ａは、出力映像データ（ＤＡＴ）に基づいて駆動（即ち、映像を表示）する。表示パネル３００ａは、複数のデータラインＤＬ、複数のスキャンラインＳＬ、及び複数の発光駆動ラインＥＭＬと連結できる。スキャンラインＳＬ及び発光駆動ラインＥＭＬは第１方向（Ｄ１）に延長されることができ、データラインＤＬは第１方向（Ｄ１）と交差する第２方向（Ｄ２）に延長できる。表示パネル３００ａはマトリックス形態に配置された複数の画素（例えば、第１画素ＰＸ１）を含むことができる。前記複数の画素の各々はデータラインＤＬのうちの１つ、スキャンラインＳＬのうちの１つ、及び発光駆動ラインＥＭＬのうちの１つと電気的に連結できる。
【００４７】
タイミング制御部２１０は表示パネル３００ａの動作を制御し、データ駆動部２２０、スキャン駆動部２３０、発光駆動部２４０、及び給電部２５０の動作を制御する。タイミング制御部２１０は、外部の装置（例えば、グラフィック処理装置）から入力映像データ（ＩＤＡＴ）及び入力制御信号（ＩＣＯＮＴ）を受信する。入力映像データ（ＩＤＡＴ）は、前記複数の画素に対する画素データを含むことができる。入力制御信号（ＩＣＯＮＴ）は、マスタークロック信号、データイネーブル信号、垂直同期信号、及び水平同期信号などを含むことができる。
【００４８】
タイミング制御部２１０は、入力映像データ（ＩＤＡＴ）に基づいて出力映像データ（ＤＡＴ）を発生する。タイミング制御部２１０は、入力制御信号（ＩＣＯＮＴ）に基づいてデータ駆動部２２０の動作を制御する第１制御信号（ＣＯＮＴ１）、スキャン駆動部２３０の動作を制御する第２制御信号（ＣＯＮＴ２）、発光駆動部２４０の動作を制御する第３制御信号（ＣＯＮＴ３）、及び給電部２５０の動作を制御する第４制御信号（ＣＯＮＴ４）を発生する。第１制御信号（ＣＯＮＴ１）は、水平開始信号、データクロック信号、データロード信号などを含むことができる。第２制御信号（ＣＯＮＴ２）は、垂直開始信号、スキャンクロック信号などを含むことができる。
【００４９】
データ駆動部２２０は、第１制御信号（ＣＯＮＴ１）及びディジタル形態の出力映像データ（ＤＡＴ）に基づいてアナログ形態の複数のデータ信号（例えば、図１の第１データ信号（ＤＳ１））を発生する。データ駆動部２２０は、前記データ信号をデータラインＤＬに順次に印加することができる。
【００５０】
スキャン駆動部２３０は、第２制御信号（ＣＯＮＴ２）に基づいて複数のスキャン信号を発生する。スキャン駆動部２３０は、前記スキャン信号をスキャンラインＳＬに順次に印加することができる。
【００５１】
発光駆動部２４０は、第３制御信号（ＣＯＮＴ３）に基づいて複数の発光駆動信号を発生する。発光駆動部２４０は、前記発光駆動信号を発光駆動ラインＥＭＬに順次に印加することができる。
【００５２】
給電部２５０は、第４制御信号（ＣＯＮＴ４）に基づいて第１電源電圧（ＥＬＶＤＤ）、第２電源電圧（ＥＬＶＳＳ）、及び初期化電圧（ＶＩＮＴ）を発生する。給電部２５０は電圧（ＥＬＶＤＤ、ＥＬＶＳＳ、ＶＩＮＴ）を表示パネル３００ａに提供することができる。
【００５３】
前記スキャン信号、前記発光駆動信号、及び電源電圧（ＥＬＶＤＤ、ＥＬＶＳＳ）は、パネル制御信号（図１のＰＣＯＮＴ）に含まれることができる。
【００５４】
実施形態に従って、データ駆動部２２０、スキャン駆動部２３０、発光駆動部２４０、及び／又は給電部２５０は、表示パネル３００ａ上に実装されるか、またはテープキャリアパッケージ（tape carrier package：ＴＣＰ）形態に表示パネル３００ａに連結できる。実施形態に従って、データ駆動部２２０、スキャン駆動部２３０、発光駆動部２４０、及び／又は給電部２５０は、表示パネル３００ａに集積されることもできる。実施形態に従って、タイミング制御部２１０、データ駆動部２２０、スキャン駆動部２３０、発光駆動部２４０、及び給電部２５０のうち、少なくとも一部は１つの集積回路（ＩＣ：Integrated Circuit）チップで具現されることもできる。
【００５５】
初期化制御部２６０は第１データ信号（図１のＤＳ１）に基づいて映像（例えば、図２ａの第１映像ＩＭＧ１及び／又は図２ｂの第２映像ＩＭＧ２）の階調を確認して第１初期化制御信号（図１のＧＢ１）を発生する。
【００５６】
図３の例で、初期化制御部２６０は表示パネル３００ａ上に配置できる。例えば、前記複数の画素は表示パネル３００ａの表示領域に配置されることができ、初期化制御部２６０は前記表示領域を囲む表示パネル３００ａの周辺領域に配置できる。
【００５７】
一方、図３は１つの初期化制御部２６０が１つの画素ＰＸ１と連結されると図示したが、１つの初期化制御部２６０は複数の画素と連結されることもできる。例えば、初期化制御部２６０は第１画素ＰＸ１と同一な画素行または画素列に配置される画素とさらに連結できる。また、前記表示装置は複数の初期化制御部を含むこともでき、１つの初期化制御部と連結される画素の個数は実施形態によって多様に変更できる。
【００５８】
図４は、図３の表示装置に含まれる第１画素及び初期化制御部を示す図である。
【００５９】
図３及び４を参照すると、第１画素ＰＸ１は、第１データ信号（ＤＳ１）、第１スキャン信号ＳＳ１、第１発光駆動信号（ＥＭ１）、第１電源電圧（ＥＬＶＤＤ）、第２電源電圧（ＥＬＶＳＳ）、初期化電圧（ＶＩＮＴ）、及び第１初期化制御信号（ＧＢ１）に基づいて動作することができる。第１データ信号（ＤＳ１）は第１データラインＤＬ１を通じて提供されることができ、第１スキャン信号（ＳＳ１）は第１スキャンラインＳＬ１を通じて提供されることができ、第１発光駆動信号（ＥＭ１）は第１発光駆動ラインＥＭＬ１を通じて提供されることができる。
【００６０】
第１画素ＰＸ１は、第１有機発光ダイオードＥＬ、第１初期化部Ｔ７、トランジスタＴ１、Ｔ２、Ｔ３、Ｔ４、Ｔ５、Ｔ６、及びキャパシタＣＳＴを含むことができる。
【００６１】
第１トランジスタＴ１はノードＮ１と連結されるゲート電極を含むことができ、第１データ信号（ＤＳ１）に相応する駆動電流を第１有機発光ダイオードＥＬに印加することができる。第２トランジスタＴ２は、第１データラインＤＬ１と第１トランジスタＴ１の第１端子との間に連結されることができ、第１スキャンラインＳＬ１と連結されるゲート電極を含むことができる。第３トランジスタＴ３は、ノードＮ１と第１トランジスタＴ１の第２端子との間に連結されることができ、第１スキャンラインＳＬ１と連結されるゲート電極を含むことができる。第４トランジスタＴ４は、ノードＮ１と初期化電圧（ＶＩＮＴ）との間に連結されることができ、制御信号（ＧＩ１）が印加されるゲート電極を含むことができる。制御信号（ＧＩ１）は、以前スキャン信号に相応することができる。第５トランジスタＴ５は、第１電源電圧（ＥＬＶＤＤ）と前記第１トランジスタＴ１の第１端子との間に連結されることができ、第１発光駆動ラインＥＭＬ１と連結されるゲート電極を含むことができる。第６トランジスタＴ６は、前記第１トランジスタＴ１の第２端子と第１有機発光ダイオードＥＬのアノード電極との間に連結されることができ、第１発光駆動ラインＥＭＬ１と連結されるゲート電極を含むことができる。キャパシタＣＳＴは、第１電源電圧（ＥＬＶＤＤ）とノードＮ１との間に連結できる。
【００６２】
第１有機発光ダイオードＥＬは、第６トランジスタＴ６の第２端子と第２電源電圧（ＥＬＶＳＳ）との間に連結できる。第１初期化部Ｔ７は、前記第１有機発光ダイオードＥＬのアノード電極と初期化電圧（ＶＩＮＴ）との間に連結されることができ、第１初期化制御信号（ＧＢ１）が印加されるゲート電極を備える第７トランジスタＴ７を含むことができる。
【００６３】
実施形態に従って、第１画素ＰＸ１に含まれるトランジスタＴ３、Ｔ４、Ｔ５、Ｔ６のうちの一部は省略できる。また、実施形態に従って、トランジスタＴ４、Ｔ７のゲート電極に印加される初期化電圧が互いに異なることがあり、トランジスタＴ５、Ｔ６のゲート電極に印加される発光制御信号が互いに異なることがある。
【００６４】
初期化制御部２６０は、第１データ信号（ＤＳ１）に基づいて前記映像（例えば、図２ａのＩＭＧ１及び／又は図２ｂのＩＭＧ２）の階調を確認して第１初期化制御信号（ＧＢ１）を発生することができる。例えば、初期化制御部２６０は第２トランジスタＴ２の第２端子で検出され、第１データ信号（ＤＳ１）に相応する信号（ＤＳ１’）と基準階調（例えば、前記第１基準階調及び／又は前記第２基準階調）に相応する基準信号（ＶＲＥＦ）を比較することができ、前記比較結果に基づいて第１初期化制御信号（ＧＢ１）を発生することができる。
【００６５】
図４では、初期化制御部２６０が前記第２トランジスタＴ２の第２端子で検出される信号（ＤＳ１’）に基づいて第１初期化制御信号（ＧＢ１）を発生することと図示したが、実施形態によって前記初期化制御部は第２トランジスタＴ２の第１端子で検出される第１データ信号（ＤＳ１）に基づいて第１初期化制御信号（ＧＢ１）を発生することもできる。
【００６６】
図５ａ及び５ｂは、図４の初期化制御部の例を示すブロック図である。
【００６７】
図５ａを参照すると、初期化制御部２６０ａは比較器ＣＭＰ１を含むことができる。
【００６８】
比較器ＣＭＰ１は、第１データ信号（ＤＳ１）に相応する信号（ＤＳ１’）を受信する第１入力端子、前記第１基準階調に相応する第１基準信号（ＶＲＥＦ１）を受信する第２入力端子、及び第１初期化制御信号（ＧＢ１）を出力する出力端子を含むことができる。
【００６９】
図５ｂを参照すると、初期化制御部２６０ｂは比較器ＣＭＰ２を含むことができる。
【００７０】
比較器ＣＭＰ２は、第１データ信号（ＤＳ１）に相応する信号（ＤＳ１’）を受信する第１入力端子、前記第１基準階調に相応する第１基準信号（ＶＲＥＦ１）を受信する第２入力端子、前記第２基準階調E相応する第２基準信号（ＶＲＥＦ２）を受信する第３入力端子、及び第１初期化制御信号（ＧＢ１）を出力する出力端子を含むことができる。
【００７１】
一実施形態において、図４に図示されたように、第１画素ＰＸ１がＰＭＯＳトランジスタを含んで具現された場合に、低階調を表現するためのデータ信号の電圧レベルが高階調を表現するためのデータ信号の電圧レベルより高いことがある。したがって、この場合、第１映像ＩＭＧ１に相応する第１データ信号（ＤＳ１）または信号（ＤＳ１’）の電圧レベルが第１基準信号（ＶＲＥＦ１）の電圧レベルより高い場合に、前記第１映像ＩＭＧ１の階調が前記第１基準階調より低いと判断することができる。また、第２映像ＩＭＧ２に相応する第１データ信号（ＤＳ１）または信号（ＤＳ１’）の電圧レベルが第２基準信号（ＶＲＥＦ２）の電圧レベルより低い場合に、前記第２映像ＩＭＧ２の階調が前記第２基準階調より高いと判断することができる。初期化制御部（図５ａの２６０ａまたは図５ｂの２６０ｂ）は、前記判断結果に基づいて第１初期化制御信号（ＧＢ１）を活性化させることができる。
【００７２】
他の実施形態において、図示してはいないが、前記第１画素がＮＭＯＳトランジスタを含んで具現された場合に、低階調を表現するためのデータ信号の電圧レベルが高階調を表現するためのデータ信号の電圧レベルより低いことがある。したがって、この場合、第１映像ＩＭＧ１に相応する前記第１データ信号（ＤＳ１）または信号（ＤＳ１’）の電圧レベルが前記第１基準信号（ＶＲＥＦ１）の電圧レベルより低い場合に、前記第１映像ＩＭＧ１の階調が前記第１基準階調より低いと判断することができる。また、第２映像ＩＭＧ２に相応する前記第１データ信号（ＤＳ１）または信号（ＤＳ１’）の電圧レベルが第２基準信号（ＶＲＥＦ２）の電圧レベルより高い場合に、前記第２映像ＩＭＧ２の階調が前記第２基準階調より高いと判断することができる。
【００７３】
一方、図示してはいないが、初期化制御部（図５ａの２６０ａまたは図５ｂの２６０ｂ）は、比較器（図５ａのＣＭＰ１または図５ｂのＣＭＰ２）の入力端子に連結されるか、または比較器（ＣＭＰ１またはＣＭＰ２）の入力端子と出力端子との間に連結される少なくとも１つの抵抗及び／又は少なくとも１つのキャパシタをさらに含むことができる。
【００７４】
図６、図７、及び図８は、図１の表示装置の他の例を示すブロック図である。
【００７５】
図６を参照すると、表示装置１００ｂはパネル駆動部及び表示パネル３００を含む。前記パネル駆動部は、タイミング制御部２１０、データ駆動部２２０ｂ、スキャン駆動部２３０、発光駆動部２４０、給電部２５０、及び初期化制御部２６０を含むことができる。
【００７６】
初期化制御部２６０の配置が変更され、これによってデータ駆動部２２０ｂ及び表示パネル３００の構造が一部変更されることを除外すれば、図６の表示装置１００ｂは図３の表示装置１００ａと実質的に同一でありうる。
【００７７】
図６の例で、初期化制御部２６０はデータ駆動部２２０ｂ内に配置できる。この場合、初期化制御部２６０は第２トランジスタ（図４のＴ２）の第２端子で検出される信号（ＤＳ１’）、第２トランジスタＴ２の第１端子で検出される第１データ信号（ＤＳ１）、及びデータ駆動部２２０ｂで出力される第１データ信号（ＤＳ１）のうちの１つに基づいて第１初期化制御信号（ＧＢ１）を発生することができる。
【００７８】
図７を参照すると、表示装置１００ｃは、パネル駆動部及び表示パネル３００を含む。前記パネル駆動部は、タイミング制御部２１０、データ駆動部２２０、スキャン駆動部２３０、発光駆動部２４０、給電部２５０、及び初期化制御部２６０を含むことができる。
【００７９】
初期化制御部２６０の配置が変更され、これによって表示パネル３００の構造が一部変更されることを除外すれば、図７の表示装置１００ｃは図３の表示装置１００ａと実質的に同一でありうる。
【００８０】
図７の例で、初期化制御部２６０は表示パネル３００上に配置されるか、またはデータ駆動部２２０内に配置されず、表示装置１００ｃ内の任意の領域に配置できる。
【００８１】
図８を参照すると、表示装置１００ｄは、パネル駆動部及び表示パネル３００ｄを含む。前記パネル駆動部は、タイミング制御部２１０、データ駆動部２２０、スキャン駆動部２３０、給電部２５０、及び初期化制御部２６０を含むことができる。
【００８２】
発光駆動部（図３、図６、及び図７の６４０）が省略され、それによって表示パネル３００ｄに含まれる複数の画素（例えば、第１画素ＰＸ１’）の構造が変更されることを除外すれば、図８の表示装置１００ｄは図３の表示装置１００ａと実質的に同一でありうる。
【００８３】
図８では初期化制御部２６０が表示パネル３００ｄ内に配置されると図示したが、初期化制御部２６０は図６を参照して前述したようにデータ駆動部２２０内に配置されることもでき、図７を参照して前述したように表示装置１００ｄ内の任意の領域に配置されることもできる。
【００８４】
図９は、図８の表示装置に含まれる第１画素及び初期化制御部を示す図である。
【００８５】
図８及び図９を参照すると、第１画素ＰＸ１’は、第１データ信号（ＤＳＡ）、第１スキャン信号（ＳＳＡ）、第１電源電圧（ＥＬＶＤＤ）、第２電源電圧（ＥＬＶＳＳ）、初期化電圧（ＶＩＮＴ）、及び第１初期化制御信号（ＧＢＡ）に基づいて動作することができる。第１データ信号（ＤＳＡ）は、第１データラインＤＬＡを通じて提供されることができ、第１スキャン信号（ＳＳＡ）は第１スキャンラインＳＬＡを通じて提供できる。
【００８６】
第１画素ＰＸ１’は、第１有機発光ダイオードＥＬ、第１初期化部Ｔ１７、トランジスタＴ１１、Ｔ１２、及びキャパシタＣＳＴを含むことができる。
【００８７】
第１トランジスタＴ１１は、ノードＮＡと連結されるゲート電極を含むことができ、第１データ信号（ＤＳＡ）に相応する駆動電流を第１有機発光ダイオードＥＬに印加することができる。第２トランジスタＴ１２は、第１データラインＤＬＡとノードＮＡとの間に連結されることができ、第１スキャンラインＳＬＡと連結されるゲート電極を含むことができる。キャパシタＣＳＴは、第１電源電圧（ＥＬＶＤＤ）とノードＮＡとの間に連結できる。
【００８８】
第１有機発光ダイオードＥＬは、第１トランジスタＴ１１の第２端子と第２電源電圧（ＥＬＶＳＳ）との間に連結できる。第１初期化部Ｔ１７は、前記第１有機発光ダイオードＥＬのアノード電極と初期化電圧（ＶＩＮＴ）との間に連結されることができ、第１初期化制御信号（ＧＢＡ）が印加されるゲート電極を含む第３トランジスタＴ１７を含むことができる。
【００８９】
実施形態に従って、第１画素ＰＸ１’は、図４の第３トランジスタＴ３と類似するようにノードＮＡと第１トランジスタＴ１１の第２端子との間に連結され、第１スキャンラインＳＳ１と連結されるゲート電極を含むトランジスタ、及び図４の第４トランジスタＴ４と類似するようにノードＮＡと初期化電圧（ＶＩＮＴ）との間に連結され、以前スキャン信号に相応する制御信号が印加されるゲート電極を含むトランジスタのうち、少なくとも１つをさらに含むことができる。
【００９０】
初期化制御部２６０は、第１データ信号（ＤＳＡ）に基づいて前記映像（例えば、図２ａのＩＭＧ１及び／又は図２ｂのＩＭＧ２）の階調を確認して第１初期化制御信号（ＧＢＡ）を発生することができる。例えば、初期化制御部２６０は第１データ信号（ＤＳＡ）に相応する信号（ＤＳＡ’）と基準階調（例えば、前記第１基準階調及び／又は前記第２基準階調）に相応する基準信号（ＶＲＥＦ）を比較することができ、前記比較結果に基づいて第１初期化制御信号（ＧＢＡ）を発生することができる。例えば、初期化制御部２６０は図５ａ及び５ｂに図示されたように比較器を含んで具現できる。
【００９１】
図１０は、本発明の実施形態に係る表示装置の駆動方法を示すフローチャートである。
【００９２】
図１、図２ａ、図２ｂ、及び図１０を参照すると、本発明の実施形態に係る表示装置１０の駆動方法において、表示パネル３０に表示される映像に対する階調確認動作を遂行する（ステップＳ１００）。一実施形態において、前記階調確認動作は第１映像が低階調映像なのかを確認する動作を示すことができる。他の実施形態において、前記階調確認動作は前記第１映像が低階調映像なのか確認し、前記第１映像と連続する第２映像が高階調映像なのか確認する一連の動作を示すことができる。前記第１及び第２映像はフレーム映像または部分映像でありうる。
【００９３】
前記階調確認動作の結果に基づいて、前記第１映像が表示される間に表示パネル３０の第１画素ＰＸ１に含まれる第１有機発光ダイオードに第１電圧を選択的に印加する（ステップＳ２００）。例えば、前記第１電圧は初期化電圧（ＶＩＮＴ）であって、初期化電圧（ＶＩＮＴ）は前記第１有機発光ダイオードのアノード電極に印加できる。初期化電圧（ＶＩＮＴ）が印加される場合に、ブラック電流が迂回されるＢＣＢ機能が活性化できる。
【００９４】
本発明の実施形態に係る表示装置１０の駆動方法では、現在映像の階調を確認するか、または現在映像及び次の映像の階調を確認し、前記階調確認結果によって各画素に含まれる有機発光ダイオードに初期化電圧（ＶＩＮＴ）を選択的に印加することができる。したがって、色滲みなどの表示不良を防止することができ、色偏差、輝度偏差などの特性が改善されることができ、表示装置１０の表示品質が向上できる。
【００９５】
図１１ａ及び図１１ｂは、図１０の階調確認動作を遂行するステップの例を示すフローチャートである。
【００９６】
図１、図２ａ、図１０、及び図１１ａを参照すると、ステップＳ１００において、第１映像ＩＭＧ１の階調が前記第１基準階調より低いかを判断することができる（ステップＳ１１０）。例えば、入力映像データ（ＩＤＡＴ）に基づいて出力映像データ（ＤＡＴ）を発生することができ、出力映像データ（ＤＡＴ）に基づいて第１映像ＩＭＧ１に相応する第１データ信号（ＤＳ１）を発生することができ、第１データ信号（ＤＳ１）と前記第１基準階調に相応する第１基準信号（ＶＲＥＦ１）を比較することができる。前記第１基準階調は、第１映像ＩＭＧ１が低階調映像なのか判断する基準を示すことができる。
【００９７】
前記第１映像ＩＭＧ１の階調が前記第１基準階調より低い場合に（ステップＳ１１０：はい）、第１初期化制御信号（ＧＢ１）を活性化させることができる（ステップＳ１２０）。例えば、第１画素ＰＸ１がＰＭＯＳトランジスタを含んで具現された場合に、第１データ信号（ＤＳ１）の電圧レベルが第１基準信号（ＶＲＥＦ１）の電圧レベルより高ければ、前記第１映像ＩＭＧ１の階調が前記第１基準階調より低いと判断することができ、第１初期化制御信号（ＧＢ１）を活性化させることができる。
【００９８】
前記第１映像ＩＭＧ１の階調が前記第１基準階調より高いか等しい場合に（ステップＳ１１０：いいえ）、第１初期化制御信号（ＧＢ１）を活性化させないことがある（ステップＳ１３０）。
【００９９】
図１、図２ａ、図２ｂ、図１０、及び図１１ｂを参照すると、ステップＳ１００において、第１映像ＩＭＧ１の階調が前記第１基準階調より低いか判断することができ（ステップＳ１１０）、第２映像ＩＭＧ２の階調が前記第２基準階調より高いか判断することができる（ステップＳ１１５）。例えば、入力映像データ（ＩＤＡＴ）に基づいて出力映像データ（ＤＡＴ）を発生することができ、出力映像データ（ＤＡＴ）に基づいて第１映像ＩＭＧ１及び第２映像ＩＭＧ２に相応する第１データ信号（ＤＳ１）を発生することができ、第１映像ＩＭＧ１に相応する第１データ信号（ＤＳ１）と第１基準信号（ＶＲＥＦ１）とを比較することができ、第２映像ＩＭＧ２に相応する第１データ信号（ＤＳ１）と前記第２基準階調に相応する第２基準信号（ＶＲＥＦ２）とを比較することができる。前記第２基準階調は、第２映像ＩＭＧ２が高階調映像なのか判断する基準を示すことができる。
【０１００】
前記第１映像ＩＭＧ１の階調が前記第１基準階調より低い場合に（ステップＳ１１０：はい）、及び前記第２映像ＩＭＧ２の階調が前記第２基準階調より高い場合に（ステップＳ１１５：はい）、第１初期化制御信号（ＧＢ１）を活性化させることができる（ステップＳ１２０）。例えば、第１画素ＰＸ１がＰＭＯＳトランジスタを含んで具現された場合に、第１映像ＩＭＧ１に相応する第１データ信号（ＤＳ１）の電圧レベルが第１基準信号（ＶＲＥＦ１）の電圧レベルより高く、第２映像ＩＭＧ２に相応する第１データ信号（ＤＳ１）の電圧レベルが第２基準信号（ＶＲＥＦ２）の電圧レベルより低ければ、前記第１映像ＩＭＧ１の階調が前記第１基準階調より低く、前記第２映像ＩＭＧ２の階調が前記第２基準階調より高いと判断することができ、第１初期化制御信号（ＧＢ１）を活性化させることができる。
【０１０１】
前記第１映像ＩＭＧ１の階調が前記第１基準階調より高いか等しい場合に（ステップＳ１１０：いいえ）、または前記第２映像ＩＭＧ２の階調が前記第２基準階調より低いか等しい場合に（ステップＳ１１５：いいえ）、第１初期化制御信号（ＧＢ１）を活性化させないことがある（ステップＳ１３０）。
【０１０２】
図１２は、図１０の第１電圧を選択的に印加するステップの一例を示すフローチャートである。
【０１０３】
図１、図１０、及び図１２を参照すると、ステップＳ２００において、第１初期化制御信号（ＧＢ１）を活性化するか否かを判断することができる（ステップＳ２１０）。
【０１０４】
第１初期化制御信号（ＧＢ１）が活性化された場合に（ステップＳ２１０：例）、前記第１初期化部が活性化されることができ、これによって第１映像ＩＭＧ１が表示される間に第１画素ＰＸ１内の前記第１有機発光ダイオードに初期化電圧（ＶＩＮＴ）が印加できる（ステップＳ２２０）。この場合、前記第１有機発光ダイオードがターンオフされることができ、前記ＢＣＢ機能が活性化されて前記第１基準階調より低い第１映像ＩＭＧ１の表示品質を向上できる。
【０１０５】
第１初期化制御信号（ＧＢ１）が活性化されない場合に（ステップＳ２１０：いいえ）、前記第１初期化部が不活性化できる（ステップＳ２３０）。この場合、前記ＢＣＢ機能が不活性化できる。
【０１０６】
以上、階調確認動作及び選択的ＢＣＢ動作を画素単位（即ち、部分映像単位）で遂行する場合に基づいて本発明の実施形態を説明したが、前記階調確認動作及び前記選択的ＢＣＢ動作はフレーム映像単位で遂行されることもできる。
【０１０７】
図１３は、本発明の実施形態に係る表示装置を示すブロック図である。
【０１０８】
図１３を参照すると、表示装置５０は、パネル駆動部６０及び表示パネル７０を含む。
【０１０９】
パネル駆動部６０は入力映像データ（ＩＤＡＴ）に基づいて映像に対する階調確認動作を遂行し、前記階調確認動作の結果に基づいて前記映像に対する選択的変調動作を遂行し、入力映像データ（ＩＤＡＴ）及び前記選択的変調動作の結果に基づいて複数のデータ信号（ＤＳまたはＤＳ’）を発生する。パネル駆動部６０は、入力制御信号（ＩＣＯＮＴ）に基づいてパネル制御信号（ＰＣＯＮＴ）を発生することができる。
【０１１０】
表示パネル７０は複数の画素（例えば、図１９のＰＸ）を含み、複数のデータ信号（ＤＳまたはＤＳ’）及びパネル制御信号（ＰＣＯＮＴ）に基づいて前記映像を表示する。
【０１１１】
本発明の実施形態に係る表示装置５０において、表示パネル７０は複数のフレーム映像を表示することができる。以下、前記フレーム映像に基づいて本発明の実施形態を詳細に説明する。
【０１１２】
前記階調確認動作は第１映像が低階調映像なのか確認し、前記第１映像と連続する（即ち、前記第１映像の以後の）第２映像が高階調映像なのか確認する一連の動作を示すことができる。前記選択的変調動作は、前記第１映像の階調を変更する変調動作が予め定まった条件のみで遂行されることを示すことができる。
【０１１３】
表示パネル７０はデータ信号（ＤＳ）に基づいて前記第１映像及び前記第２映像を順次に表示するか、または変調されたデータ信号（ＤＳ’）に基づいて変調された第１映像及び前記第２映像を順次に表示することができる。例えば、前記変調された第１映像は前記第１映像の原本階調と異なる変更階調を有する映像でありうる。
【０１１４】
本発明の実施形態に係る表示装置５０は、動映像のように多数の映像を順次的または連続的に表示するか、またはスクロール（scroll）動作を遂行するように画面転換が発生する場合に、現在映像及び次の映像の階調を確認し、前記階調確認結果によって現在映像の階調を選択的に変更することができる。したがって、画面残像現象、色滲みなどの表示不良を防止することができ、表示装置５０の表示品質が向上できる。
【０１１５】
図１４ａ、図１４ｂ、及び図１４ｃは、本発明の実施形態に係る表示装置の動作を説明するための図である。図１４ａ、図１４ｂ、及び図１４ｃは、図１３の表示パネル７０に表示されるフレーム映像の例を示す。
【０１１６】
図１３、図１４ａ、図１４ｂ、及び図１４ｃを参照すると、本発明の実施形態に係る表示装置５０は、前述した階調確認動作及び選択的変調動作をフレーム映像の全ての領域に対して全体的に遂行することができる。
【０１１７】
具体的に、パネル駆動部６０は入力映像データ（ＩＤＡＴ）に基づいて第１映像（図１４ａのＩＭＧ１１）の階調及び第２映像（図１４ｂのＩＭＧ１２）の階調を判断することができる。
【０１１８】
前記第１映像ＩＭＧ１１の階調が第１基準階調より低く、前記第２映像ＩＭＧ１２の階調が第２基準階調より高い場合に、表示パネル７０が第１映像ＩＭＧ１１の代りに変調された第１映像（図１４ｃのＩＭＧ１１’）を表示できるように、パネル駆動部６０は第１映像ＩＭＧ１１を変調することができる。例えば、パネル駆動部６０は前記第１映像ＩＭＧ１１の階調を増加させて変調された第１映像ＩＭＧ１１’を発生することができる。
【０１１９】
前記第１基準階調は第１映像ＩＭＧ１１が低階調映像なのか判断する基準を示すことができ、前記第２基準階調は第２映像ＩＭＧ１２が高階調映像なのか判断する基準を示すことができる。例えば、０階調から２５５階調まで２５６個の階調が表現できるように表示パネル７０が具現される場合に、前記第１基準階調は３階調で、前記第２基準階調は２５２階調でありうる。
【０１２０】
図１４ａ及び図１４ｂの例で、前記第１映像ＩＭＧ１１の階調は前記第１基準階調（例えば、３階調）より低い０階調で、前記第２映像ＩＭＧ１２の階調は前記第２基準階調（例えば、２５２階調）より高い２５５階調でありうる。言い換えると、第１映像ＩＭＧ１１は前記低階調映像（例えば、ブラック映像）で、第２映像ＩＭＧ１２は前記高階調映像（例えば、ホワイト映像）でありうる。この際、図１４ｃの例で、変調された第１映像ＩＭＧ１１’は前記第１映像ＩＭＧ１１の階調より高い第１階調を有することができる。
【０１２１】
一実施形態において、前記第１階調は前記第１基準階調と実質的に同一でありうる。例えば、前述したように前記第１基準階調が３階調であり、前記第１映像ＩＭＧ１１の階調が０階調である場合に、パネル駆動部６０は変調された第１映像ＩＭＧ１１’が３階調を有するように第１映像ＩＭＧ１１を変調させることができる。他の例において、前記第１基準階調が３階調であり、前記第１映像ＩＭＧ１１の階調が１階調または２階調である場合にも、パネル駆動部６０は変調された第１映像ＩＭＧ１１’が３階調を有するように第１映像ＩＭＧ１１を変調させることができる。
【０１２２】
他の実施形態において、前記第１階調は前記第１基準階調と互いに異なることがある。
【０１２３】
一方、前記第１映像ＩＭＧ１１の階調が前記第１基準階調より高いか等しい場合に、または前記第２映像ＩＭＧ１２の階調が前記第２基準階調より低いか等しい場合に、パネル駆動部６０は第１映像ＩＭＧ１１を変調しないことがある。
【０１２４】
一実施形態において、図１６ａ及び図１６ｂを参照して後述するように、第１映像ＩＭＧ１１及び変調された第１映像ＩＭＧ１１’のうちの１つと第２映像ＩＭＧ１２は表示パネル７０上に連続して表示できる。言い換えると、第１映像ＩＭＧ１１及び変調された第１映像ＩＭＧ１１’のうちの１つが表示された直後に第２映像ＩＭＧ１２が表示されることができ、第１映像ＩＭＧ１１及び変調された第１映像ＩＭＧ１１’のうちの１つから第２映像ＩＭＧ１２に画面転換が起こることができる。
【０１２５】
図１５、図１６ａ、及び図１６ｂは、本発明の実施形態に係る表示装置の動作特性を説明するためのグラフである。
【０１２６】
図１５を参照すると、水平軸は現在映像から次の映像に画面転換が起こった場合に現在映像の階調を示し、垂直軸は前記画面転換が起こった場合にステップ効率（Ｓ／Ｅ：Step Efficiency）を示す。ステップ効率は、前記画面転換が起こった場合に発光効率を示し、具体的に前記次の映像の目標輝度に対する前記次の映像の画面転換直後の輝度の比率を示す。
【０１２７】
前記次の映像の階調が２５５階調と仮定すれば（即ち、前記次の映像がホワイト映像と仮定すれば）、前記現在映像の階調がＧＸの場合にステップ効率はＡで、前記現在映像の階調がＧＹの場合にステップ効率はＢでありうる。例えば、ＧＸは０階調、Ａは約５７．５％、ＧＹは３階調、Ｂは約７２．６％でありうる。言い換えると、ブラック映像からホワイト映像に転換されるように、低階調映像から高階調映像に画面転換が発生する場合に、低階調原本映像の階調を少しだけ増加させてもステップ効率が格段に上昇することを確認することができ、したがって、画面残像現象不良を改善できる。
【０１２８】
図１６ａ及び図１６ｂを参照すると、水平軸は時間の経過を示し、垂直軸は表示パネル内の画素の輝度変化を示す。
【０１２９】
図１６ａに示すように、時間ｔ１で、低階調原本映像（例えば、第１映像ＩＭＧ１１）から高階調映像（例えば、第２映像ＩＭＧ１２）に画面転換が発生する場合に、高階調映像ＩＭＧ１２が表示されるフレーム（Ｆ１１、Ｆ１２、Ｆ１３）のうち、最初のフレーム（Ｆ１１）で画素の発光量が相対的に低くて、色滲み不良が発生することができる。例えば、図１６ａで低階調原本映像ＩＭＧ１１の階調は０階調でありうる。
【０１３０】
図１６ｂに示すように、時間ｔ２で低階調変調映像（例えば、変調された第１映像ＩＭＧ１１’）から高階調映像（例えば、第２映像ＩＭＧ１２）に画面転換が発生する場合に、高階調映像ＩＭＧ１２が表示されるフレーム（Ｆ２１、Ｆ２２、Ｆ２３）のうち、最初のフレーム（Ｆ２１）で画素の発光量が相対的に高まることができ、これによって色滲み不良が改善できる。例えば、図１６ｂで低階調変調映像ＩＭＧ１１’の階調は３階調でありうる。
【０１３１】
図１７ａ、図１７ｂ、図１７ｃ、図１８ａ、及び図１８ｂは、本発明の実施形態に係る表示装置の動作を説明するための図である。図１７ａ、図１７ｂ、図１７ｃ、図１８ａ、及び図１８ｂは、図１３の表示パネル７０に表示されるフレーム映像の例を示す。
【０１３２】
図１３、図１７ａ、図１７ｂ、及び図１７ｃを参照すると、本発明の実施形態に係る表示装置５０は、前述した階調確認動作及び選択的変調動作をフレーム映像の一部領域に対して部分的に遂行することができる。
【０１３３】
具体的に、パネル駆動部６０は入力映像データ（ＩＤＡＴ）に基づいて第１映像（図１７ａのＩＭＧ２１）の第１領域ＰＩ１の階調及び第１映像ＩＭＧ２１の第１領域ＰＩ１に相応する第２映像（図１７ｂのＩＭＧ２２）の第１領域ＰＩ２の階調を判断することができる。
【０１３４】
前記第１映像ＩＭＧ２１の第１領域ＰＩ１の階調が前記第１基準階調（例えば、３階調）より低く、前記第２映像ＩＭＧ２２の第１領域ＰＩ２の階調が前記第２基準階調（例えば、２５２階調）より高い場合に、表示パネル７０が第１映像ＩＭＧ２１の代りに変調された第１映像（図１７ｃのＩＭＧ２１’）を表示できるように、パネル駆動部６０は第１映像ＩＭＧ２１を変調することができる。例えば、パネル駆動部２０は前記第１映像ＩＭＧ２１の第１領域ＰＩ１の階調を増加させて変調された第１映像ＩＭＧ２１’を発生することができる。この際、第１映像ＩＭＧ２１の第１領域ＰＩ１に相応する変調された第１映像ＩＭＧ２１’の第１領域ＰＩ１’は、前記第１映像ＩＭＧ２１の第１領域ＰＩ１の階調より高い前記第１階調を有することができる。
【０１３５】
一方、前記第１映像ＩＭＧ２１の第１領域ＰＩ１の階調が前記第１基準階調より高いか等しい場合に、または前記第２映像ＩＭＧ２２の第１領域ＰＩ２の階調が前記第２基準階調より低いか等しい場合に、パネル駆動部６０は第１映像ＩＭＧ２１を変調しないことがある。
【０１３６】
図１７ａ、図１７ｂ、及び図１７ｃの例において、前記第１映像ＩＭＧ２１の第１領域ＰＩ１の階調を変更する動作は、図１４ａ、図１４ｂ、及び図１４ｃを参照して前述した前記第１映像ＩＭＧ１１の階調を変更する動作と実質的に同一でありうる。また、第１映像ＩＭＧ２１及び変調された第１映像ＩＭＧ２１’のうちの１つと第２映像ＩＭＧ２２は表示パネル７０上に連続して表示できる。
【０１３７】
図１３、図１８ａ、図１７ｂ、及び図１８ｂを参照すると、本発明の実施形態に係る表示装置５０は、前述した階調確認動作及び選択的変調動作をフレーム映像の一部領域に対して部分的に遂行することができ、フレーム映像の他の領域に対する追加的な変調動作をさらに遂行することができる。
【０１３８】
具体的に、パネル駆動部６０は入力映像データ（ＩＤＡＴ）に基づいて第１映像（図１８ａのＩＭＧ３１）の第１領域ＰＩ１の階調及び第１映像ＩＭＧ３１の第１領域ＰＩ１に相応する第２映像（図１７ｂのＩＭＧ２２）の第１領域ＰＩ２の階調を判断することができ、前記判断結果に基づいて第１映像ＩＭＧ３１を選択的に変調することができる。前記第１映像ＩＭＧ３１の第１領域ＰＩ１の階調を変更する動作は、図１７ａ、図１７ｂ、及び図１７ｃを参照して前述した前記第１映像ＩＭＧ２１の第１領域ＰＩ１の階調を変更する動作と実質的に同一でありうる。
【０１３９】
前記第１映像ＩＭＧ３１の第１領域ＰＩ１の階調が前記第１基準階調より低く、前記第２映像ＩＭＧ２２の第１領域ＰＩ２の階調が前記第２基準階調より高くて、変調された第１映像（図１８ｂのＩＭＧ３１’）の第１領域ＰＩ１’が前記第１階調を有するように第１映像ＩＭＧ３１を変調しようとする場合に、パネル駆動部６０は第１映像ＩＭＧ３１内で前記第１階調と同一な階調を有する他の領域が存在するかを確認することができる。第１映像ＩＭＧ３１の第１領域ＰＩ１と異なる第１映像ＩＭＧ３１の第２領域ＰＩ３の階調が前記第１階調の場合に、パネル駆動部６０は前記第１映像ＩＭＧ３１の第１領域ＰＩ１の階調を増加させると共に、前記第１映像ＩＭＧ３１の第２領域ＰＩ３の階調を増加させて変調された第１映像ＩＭＧ３１’を発生することができる。この際、第１映像ＩＭＧ３１の第２領域ＰＩ３に相応する変調された第１映像ＩＭＧ３１’の第２領域ＰＩ３’は、前記第１階調より高い第２階調を有することができる。
【０１４０】
図１８ａ及び図１８ｂの例において、第１映像ＩＭＧ３１内の第１領域ＰＩ１は前記第１階調より低い階調（例えば、０階調）を有することができ、第２領域ＰＩ３は前記第１階調（例えば、３階調）を有することができる。変調された第１映像ＩＭＧ３１’内の第１領域ＰＩ１’は前記第１階調を有することができ、第２領域ＰＩ３’は前記第２階調（例えば、４階調）を有することができる。
【０１４１】
変調された第１映像ＩＭＧ３１’を発生する場合に、上記のように第１映像ＩＭＧ３１の第１領域ＰＩ１及び第２領域ＰＩ３に対する階調変更動作を共に遂行することによって、原本映像である第１映像ＩＭＧ３１内に存在する第１領域ＰＩ１と第２領域ＰＩ３との階調差が変調映像である変調された第１映像ＩＭＧ３１’内でも第１領域ＰＩ１’と第２領域ＰＩ３’の階調差として存在することができる。したがって、階調割れなどの表示不良を防止することができ、表示装置５０の表示品質が向上できる。
【０１４２】
図１４ａ、図１４ｂ、図１４ｃ、図１５、図１６ａ、図１６ｂ、図１７ａ、図１７ｂ、図１７ｃ、図１８ａ、及び図１８ｂを参照して特定階調値に基づいて本発明の実施形態を説明したが、本発明の実施形態は任意の低階調映像から任意の高階調映像に画面転換が発生する場合に、低階調映像の階調を変更する多様な実施形態に対して適用できる。
【０１４３】
図１９は、図１３の表示装置の一例を示すブロック図である。
【０１４４】
図１９を参照すると、表示装置５００ａはパネル駆動部及び表示パネル７００を含む。前記パネル駆動部は、タイミング制御部６１０ａ、データ駆動部６２０ａ、スキャン駆動部６３０、発光駆動部６４０、及び給電部６５０を含むことができる。
【０１４５】
表示パネル７００は、出力映像データ（ＤＡＴ）に基づいて駆動（即ち、映像を表示）する。表示パネル７００は、複数のデータラインＤＬ、複数のスキャンラインＳＬ、及び複数の発光駆動ラインＥＭＬと連結されることができ、マトリックス形態に配置された複数の画素ＰＸを含むことができる。
【０１４６】
図４を参照して前述したように、複数の画素ＰＸの各々は有機発光ダイオード、少なくとも１つのトランジスタ、及び少なくとも１つのキャパシタを含んで具現できる。複数の画素ＰＸの各々の構造は実施形態に従って多様に変更できる。
【０１４７】
一実施形態において、図４及び図９に示すように、複数の画素ＰＸはＰＭＯＳトランジスタを含んで具現できる。この場合、低階調を表現するためのデータ信号の電圧レベルが高階調を表現するためのデータ信号の電圧レベルより高いことがあり、したがって、第１映像（例えば、図１４ａのＩＭＧ１１）に相応するデータ信号（例えば、図１３のＤＳ）の電圧レベルは変調された第１映像（例えば、図１４ｃのＩＭＧ１１’）に相応する変調されたデータ信号（例えば、図１３のＤＳ’）の電圧レベルより高いことがある。
【０１４８】
他の実施形態において、図示してはいないが、複数の画素ＰＸはＮＭＯＳトランジスタを含んで具現できる。この場合、低階調を表現するためのデータ信号の電圧レベルが高階調を表現するためのデータ信号の電圧レベルより低いことがあり、したがって、第１映像ＩＭＧ１１に相応するデータ信号（ＤＳ）の電圧レベルは変調された第１映像ＩＭＧ１１’に相応する変調されたデータ信号（ＤＳ’）の電圧レベルより低いことがある。
【０１４９】
タイミング制御部６１０ａは表示パネル７００の動作を制御し、データ駆動部６２０ａ、スキャン駆動部６３０、発光駆動部６４０、及び給電部６５０の動作を制御する。タイミング制御部６１０ａは入力映像データ（ＩＤＡＴ）に基づいて出力映像データ（ＤＡＴ）を発生し、入力制御信号（ＩＣＯＮＴ）に基づいて第１制御信号（ＣＯＮＴ１）、第２制御信号（ＣＯＮＴ２）、第３制御信号（ＣＯＮＴ３）、及び第４制御信号（ＣＯＮＴ４）を発生する。
【０１５０】
データ駆動部６２０ａは、第１制御信号（ＣＯＮＴ１）及びディジタル形態の出力映像データ（ＤＡＴ）に基づいてアナログ形態の複数のデータ信号（図１３のＤＳまたはＤＳ’）を発生する。スキャン駆動部６３０は、第２制御信号（ＣＯＮＴ２）に基づいて複数のスキャン信号を発生する。発光駆動部６４０は、第３制御信号（ＣＯＮＴ３）に基づいて複数の発光駆動信号を発生する。給電部６５０は、第４制御信号（ＣＯＮＴ４）に基づいて第１電源電圧（ＥＬＶＤＤ）、第２電源電圧（ＥＬＶＳＳ）、及び初期化電圧（ＶＩＮＴ）を発生する。
【０１５１】
前記スキャン信号、前記発光駆動信号、及び電圧（ＥＬＶＤＤ、ＥＬＶＳＳ、ＶＩＮＴ）は、パネル制御信号（図１３のＰＣＯＮＴ）に含まれることができる。
【０１５２】
図１９の例において、タイミング制御部６１０ａが前述した階調確認動作及び選択的変調動作を全て遂行することができる。具体的に、タイミング制御部６１０ａは入力映像データ（ＩＤＡＴ）に基づいて前記階調確認動作を遂行することができ、入力映像データ（ＩＤＡＴ）及び前記階調確認動作の結果に基づいて前記選択的変調動作を遂行して出力映像データ（ＤＡＴ）を発生することができる。データ駆動部６２０ａは、出力映像データ（ＤＡＴ）に基づいて複数のデータ信号（ＤＳまたはＤＳ’）を発生することができる。タイミング制御部６１０ａの構造は図２０を参照して後述する。データ駆動部６２０ａは一般的なデータ駆動部と類似するようにシフトレジスタ、データラッチ、ディジタル−アナログコンバータ、及び出力バッファを含んで具現できる。
【０１５３】
図２０は、図１９の表示装置に含まれるタイミング制御部の一例を示すブロック図である。
【０１５４】
図１９及び２０を参照すると、タイミング制御部６１０ａは、階調確認部６１１、映像処理部６１３、及び制御信号発生部６１５を含むことができる。但し、これは説明の便宜のために論理的に区分しただけであり、ハードウェア的に区分したものではない。
【０１５５】
階調確認部６１１は、入力映像データ（ＩＤＡＴ）に基づいて前記階調確認動作を遂行することができる。例えば、入力映像データ（ＩＤＡＴ）は第１映像（例えば、図１４ａのＩＭＧ１１）に相応する第１入力映像データ（ＩＤＡＴ１）及び第２映像（例えば、図１４ｂのＩＭＧ１２）に相応する第２入力映像データ（ＩＤＡＴ２）を含むことができる。階調確認部６１１は、前記階調確認動作の結果を示す確認信号（ＣＨＫ）を発生することができる。
【０１５６】
一実施形態において、前記第１映像ＩＭＧ１１の階調が前記第１基準階調より低く、前記第２映像ＩＭＧ１２の階調が前記第２基準階調より高い場合に、確認信号（ＣＨＫ）は第１論理レベル（例えば、論理ハイレバル）を有することができる。前記第１映像ＩＭＧ１１の階調が前記第１基準階調より高いか等しい場合に、または前記第２映像ＩＭＧ１２の階調が第２基準階調より低いか等しい場合に、確認信号（ＣＨＫ）は前記第１論理レベルと異なる第２論理レベル（例えば、論理ローレベル）を有することができる。
【０１５７】
映像処理部６１３は、入力映像データ（ＩＤＡＴ）及び前記階調確認動作の結果（即ち、確認信号（ＣＨＫ））に基づいて前記選択的変調動作を遂行して出力映像データ（ＤＡＴ）を発生することができる。例えば、出力映像データ（ＤＡＴ）は第１映像ＩＭＧ１１に相応する第１出力映像データ（ＤＡＴ１）及び変調された第１映像（例えば、図１４ｃのＩＭＧ１１’）に相応する変調された第１出力映像データ（ＤＡＴ１’）のうちの１つと、第２映像ＩＭＧ１２に相応する第２出力映像データ（ＤＡＴ２）を含むことができる。
【０１５８】
一実施形態において、確認信号（ＣＨＫ）が前記第１論理レベルを有する場合に、映像処理部６１３は第１入力映像データ（ＩＤＡＴ１）に基づいて変調された第１出力映像データ（ＤＡＴ１’）を発生することができる。確認信号（ＣＨＫ）が前記第２論理レベルを有する場合に、映像処理部６１３は第１入力映像データ（ＩＤＡＴ１）に基づいて第１出力映像データ（ＤＡＴ１）を発生することができる。映像処理部６１３は、第２入力映像データ（ＩＤＡＴ２）に基づいて第２出力映像データ（ＤＡＴ２）を発生することができる。
【０１５９】
実施形態に従って、映像処理部６１３は入力映像データ（ＩＤＡＴ）に対する画質補正、ムラ補正、色特性補償（Adaptive Color Correction；ＡＣＣ）及び／又は能動キャパシタンス補償（Dynamic Capacitance Compensation；ＤＣＣ）などを選択的にさらに遂行することができる。
【０１６０】
制御信号発生部６１５は入力制御信号（ＣＯＮＴ）に基づいて第１制御信号（ＣＯＮＴ１）、第２制御信号（ＣＯＮＴ２）、第３制御信号（ＣＯＮＴ３）、及び第４制御信号（ＣＯＮＴ４）を発生することができる。
【０１６１】
一方、図示してはいないが、データ駆動部６２０ａは第１出力映像データ（ＤＡＴ１）及び第２出力映像データ（ＤＡＴ２）に基づいてデータ信号（ＤＳ）を発生することができ、変調された第１出力映像データ（ＤＡＴ１’）及び第２出力映像データ（ＤＡＴ２）に基づいて変調されたデータ信号（ＤＳ’）を発生することができる。
【０１６２】
図２１は、図１３の表示装置の他の例を示すブロック図である。
【０１６３】
図２１を参照すると、表示装置５００ｂはパネル駆動部及び表示パネル７００を含む。前記パネル駆動部は、タイミング制御部６１０ｂ、データ駆動部６２０ｂ、スキャン駆動部６３０、発光駆動部６４０、及び給電部６５０を含むことができる。
【０１６４】
タイミング制御部６１０ｂ及びデータ駆動部６２０ｂが一部変更されることを除外すれば、図２１の表示装置５００ｂは図１９の表示装置５００ａと実質的に同一でありうる。
【０１６５】
図２１の例で、タイミング制御部６１０ｂが前述した階調確認動作を遂行することができ、データ駆動部６２０ｂが前述した選択的変調動作を遂行することができる。具体的に、タイミング制御部６１０ｂは入力映像データ（ＩＤＡＴ）に基づいて前記階調確認動作を遂行することができ、前記階調確認動作の結果を示す確認信号（ＣＨＫ）を出力することができ、入力映像データ（ＩＤＡＴ）に基づいて出力映像データ（ＤＡＴ）を発生することができる。データ駆動部６２０ｂは出力映像データ（ＤＡＴ）及び前記階調確認動作の結果（即ち、確認信号（ＣＨＫ））に基づいて前記選択的変調動作を遂行して複数のデータ信号（ＤＳまたはＤＳ’）を発生することができる。タイミング制御部６１０ｂ及びデータ駆動部６２０ｂの構造は各々図２２及び２３を参照して後述する。
【０１６６】
図２２は、図２１の表示装置に含まれるタイミング制御部の一例を示すブロック図である。
【０１６７】
図２１及び２２を参照すると、タイミング制御部６１０ｂは、階調確認部６１１、映像処理部６１４、及び制御信号発生部６１５を含むことができる。
【０１６８】
図２２の階調確認部６１１及び制御信号発生部６１５は、図２０の階調確認部６１１及び制御信号発生部６１５と各々実質的に同一でありうる。
【０１６９】
映像処理部６１４は、入力映像データ（ＩＤＡＴ）に基づいて出力映像データ（ＤＡＴ）を発生することができる。映像処理部６１４は、第１映像ＩＭＧ１１に相応する第１入力映像データ（ＩＤＡＴ１）に基づいて第１出力映像データ（ＤＡＴ１）を発生することができ、第２映像ＩＭＧ１２に相応する第２入力映像データ（ＩＤＡＴ２）に基づいて第２出力映像データ（ＤＡＴ２）を発生することができる。
【０１７０】
図２３は、図２１の表示装置に含まれるデータ駆動部の一例を示すブロック図である。
【０１７１】
図２３を参照すると、データ駆動部６２０ｂは、シフトレジスタ６２１、データラッチ６２３、ディジタル−アナログコンバータ６２５、出力バッファ６２７、及び階調変調部６２９を含むことができる。
【０１７２】
シフトレジスタ６２１は、水平開始信号（ＳＴＨ）及びデータクロック信号（ＤＣＫ）に基づいてラッチ制御信号を発生することができる。水平開始信号（ＳＴＨ）及びデータクロック信号（ＤＣＫ）は、タイミング制御部（図２１の６１０ｂ）から提供される第１制御信号（図２１のＣＯＮＴ１）に含まれることができる。
【０１７３】
データラッチ６２３は、前記ラッチ制御信号に基づいて並列形態の出力映像データ（ＤＡＴ）を格納することができ、データロード信号（ＴＰ）に基づいて出力映像データ（ＤＡＴ）を出力することができる。データロード信号（ＴＰ）は第１制御信号（ＣＯＮＴ１）に含まれることができる。
【０１７４】
階調変調部６２９は、前記階調確認動作の結果（即ち、確認信号（ＣＨＫ））に基づいて階調補正データ（ＧＣＤ）を選択的に発生することができる。例えば、確認信号（ＣＨＫ）が前記第１論理レベルを有する場合に、表示パネル７００が変調された第１映像（例えば、図１４ｃのＩＭＧ１１’）を表示できるように階調変調部６２９は階調補正データ（ＧＣＤ）を発生することができる。確認信号（ＣＨＫ）が前記第２論理レベルを有する場合に、階調変調部６２９は階調補正データ（ＧＣＤ）を発生しないことがある。
【０１７５】
ディジタル−アナログコンバータ６２５は、出力映像データ（ＤＡＴ）及び階調補正データ（ＧＣＤ）に基づいてデータ信号（ＤＳまたはＤＳ’）を発生することができ、出力バッファ６２７はデータ信号（ＤＳまたはＤＳ’）を出力することができる。例えば、確認信号（ＣＨＫ）が前記第１論理レベルを有する場合に、変調された第１映像ＩＭＧ１１’と第２映像ＩＭＧ１２を順次に表示できるように、出力映像データ（ＤＡＴ）と階調補正データ（ＧＣＤ）に基づいて変調されたデータ信号（ＤＳ’）が発生できる。確認信号（ＣＨＫ）が前記第２論理レベルを有する場合に、原本映像である第１映像ＩＭＧ１１と第２映像ＩＭＧ１２を順次に表示できるように、出力映像データ（ＤＡＴ）に基づいてデータ信号（ＤＳ）が発生できる。
【０１７６】
図２４は、図１３の表示装置の更に他の例を示すブロック図である。
【０１７７】
図２４を参照すると、表示装置５００ｃはパネル駆動部及び表示パネル７００ｃを含む。前記パネル駆動部は、タイミング制御部６１０、データ駆動部６２０、スキャン駆動部６３０、及び給電部６５０を含むことができる。
【０１７８】
発光駆動部（図１９及び図２１の６４０）が省略され、それによって表示パネル７００ｃに含まれる複数の画素ＰＸ’の各々の構造が変更されることを除ければ、図２４の表示装置５００ｃは図１９の表示装置５００ａ及び図２１の表示装置５００ｂと各々実質的に同一でありうる。
【０１７９】
図９を参照して前述したように、複数の画素ＰＸ’の各々は有機発光ダイオード、少なくとも１つのトランジスタ、及び少なくとも１つのキャパシタを含んで具現できる。発光駆動部（図１９及び図２１の６４０）が省略されることによって、図２４の複数の画素ＰＸ’の各々に含まれるトランジスタの個数は、図１９及び図２１の複数の画素ＰＸの各々に含まれるトランジスタの個数より小さいことがある。
【０１８０】
タイミング制御部６１０は図１９のタイミング制御部６１０ａ及び図２１のタイミング制御部６１０ｂのうちの１つで、データ駆動部６２０は図１９のデータ駆動部６２０ａ及び図２１のデータ駆動部６２０ｂのうちの１つでありうる。例えば、図１９を参照して前述したように、タイミング制御部６１０が前記階調確認動作及び前記選択的変調動作を全て遂行することができる。他の例において、図２１を参照して前述したように、タイミング制御部６１０が前記階調確認動作を遂行することができ、データ駆動部６２０が前記選択的変調動作を遂行することができる。
【０１８１】
一方、図１９の表示装置５００ａ、図２１の表示装置５００ｂ、及び図２４の表示装置５００ｃは、前述した階調確認動作及び選択的変調動作をフレーム映像の全ての領域に対して全体的に遂行するか、またはフレーム映像の一部領域に対して部分的に遂行することができる。
【０１８２】
図２５は、本発明の実施形態に係る表示装置の駆動方法を示すフローチャートである。
【０１８３】
図１３、図１４ａ、図１４ｂ、図１４ｃ、及び図２５を参照すると、本発明の実施形態に係る表示装置５０の駆動方法において、表示パネル７０に表示される映像に対する階調確認動作を遂行する（ステップＳ５００）。一実施形態において、前記階調確認動作は第１映像が低階調映像なのか確認し、前記第１映像と連続する第２映像が高階調映像なのか確認する一連の動作を示すことができる。前記第１及び第２映像はフレーム映像でありうる。
【０１８４】
前記階調確認動作の結果に基づいて、前記第１映像を選択的に変調する（ステップＳ６００）。前記選択的変調動作は、前記第１映像に対する変調動作が予め定まった条件のみで遂行されることを示すことができる。表示パネル７０は前記第１映像及び前記第２映像を順次的／連続的に表示するか、または変調された第１映像及び前記第２映像を順次的／連続的に表示することができる。
【０１８５】
本発明の実施形態に係る表示装置５０の駆動方法では、画面転換が発生する場合に、現在映像及び次の映像の階調を確認し、前記階調確認結果によって現在映像の階調を選択的に変更することができる。したがって、画面残像現象、色滲みなどの表示不良を防止することができ、表示装置５０の表示品質が向上できる。
【０１８６】
図２６は、図２５の階調確認動作を遂行するステップの一例を示すフローチャートである。
【０１８７】
図１４ａ、図１４ｂ、図１４ｃ、図２５、及び図２６を参照すると、ステップＳ５００において、前記階調確認動作を映像の全ての領域に対して全体的に遂行することができる。
【０１８８】
第１映像ＩＭＧ１１の階調が前記第１基準階調より低いか判断することができ（ステップＳ５１０）、第２映像ＩＭＧ１２の階調が前記第２基準階調より高いかを判断することができる（ステップＳ５２０）。前記第１基準階調は、第１映像ＩＭＧ１１が低階調映像なのか判断する基準を示すことができ、前記第２基準階調は第２映像ＩＭＧ１２が高階調映像なのか判断する基準を示すことができる。
【０１８９】
前記第１映像ＩＭＧ１１の階調が前記第１基準階調より低く（ステップＳ５１０：はい）前記第２映像ＩＭＧ１２の階調が前記第２基準階調より高い場合に（ステップＳ５２０：はい）、第１映像ＩＭＧ１１に対する変調動作が必要な状態であると判断することができ、前記第１論理レベルを有する確認信号（例えば、図２０のＣＨＫ）を発生することができる（ステップＳ５３０）。前記第１映像ＩＭＧ１１の階調が前記第１基準階調より高いか等しい場合に（ステップＳ５１０：いいえ）、または前記第２映像ＩＭＧ１２の階調が前記第２基準階調より低いか等しい場合に（ステップＳ５２０：いいえ）、第１映像ＩＭＧ１１に対する変調動作が不必要な状態であると判断することができ、前記第２論理レベルを有する確認信号（ＣＨＫ）を発生することができる（ステップＳ５４０）。
【０１９０】
図２７は、図２５の選択的変調動作を遂行するステップの一例を示すフローチャートである。
【０１９１】
図１４ａ、図１４ｂ、図１４ｃ、図２５、及び図２７を参照すると、ステップＳ６００において、前記選択的変調動作をフレーム映像の全ての領域に対して全体的に遂行することができる。
【０１９２】
確認信号（ＣＨＫ）が前記第１論理レベルを有する場合に（ステップＳ６１０：はい）、第１映像ＩＭＧ１１を変調することができ（ステップＳ６２０）、表示パネル７０は変調された第１映像ＩＭＧ１１’を表示することができる。例えば、変調された第１映像ＩＭＧ１１’は前記第１映像ＩＭＧ１１の階調より高い前記第１階調を有することができる。
【０１９３】
確認信号（ＣＨＫ）が前記第２論理レベルを有する場合に（ステップＳ６１０：いいえ）、第１映像ＩＭＧ１１に対する変調動作が不要な状態であるので、第１映像ＩＭＧ１１を変調しないことがある（ステップＳ６３０）。
【０１９４】
図２８は、図２５の階調確認動作を遂行するステップの他の例を示すフローチャートである。
【０１９５】
図１７ａ、図１７ｂ、図１７ｃ、図１８ａ、図１８ｂ、図２５、及び図２８を参照すると、ステップＳ５００において、前記階調確認動作をフレーム映像の一部領域に対して部分的に遂行することができる。
【０１９６】
第１映像（ＩＭＧ２１またはＩＭＧ３１）の第１領域ＰＩ１の階調が前記第１基準階調より低いかを判断することができ（ステップＳ５１５）、第２映像ＩＭＧ２２の第１領域ＰＩ２の階調が前記第２基準階調より高いかを判断することができる（ステップＳ５２５）。
【０１９７】
前記第１映像（ＩＭＧ２１またはＩＭＧ３１）の第１領域ＰＩ１の階調が前記第１基準階調より低く（ステップＳ５１５：はい）、前記第２映像ＩＭＧ２２の第１領域ＰＩ２の階調が前記第２基準階調より高い場合に（ステップＳ５２５：はい）、前記第１論理レベルを有する確認信号（ＣＨＫ）を発生することができる（ステップＳ５３０）。前記第１映像（ＩＭＧ２１またはＩＭＧ３１）の第１領域ＰＩ１の階調が前記第１基準階調より高いか等しい場合に（ステップＳ５１５：いいえ）、または前記第２映像ＩＭＧ２２の第１領域ＰＩ２の階調が前記第２基準階調より低いか等しい場合に（ステップＳ５２５：いいえ）、前記第２論理レベルを有する確認信号（ＣＨＫ）を発生することができる（ステップＳ５４０）。
【０１９８】
図２９は、図２５の選択的変調動作を遂行するステップの他の例を示すフローチャートである。
【０１９９】
図１７ａ、図１７ｂ、図１７ｃ、図１８ａ、図１８ｂ、図２５、及び図２９を参照すると、ステップＳ６００において、前記選択的変調動作をフレーム映像の一部領域に対して部分的に遂行することができる。
【０２００】
確認信号（ＣＨＫ）が前記第１論理レベルを有する場合に（ステップＳ６１０：はい）、第１映像（ＩＭＧ２１またはＩＭＧ３１）を変調することができ（ステップＳ６２５）、表示パネル７０は変調された第１映像（ＩＭＧ２１’またはＩＭＧ３１’）を表示することができる。例えば、変調された第１映像（ＩＭＧ２１’またはＩＭＧ３１’）の第１領域ＰＩ１’は前記第１映像（ＩＭＧ２１またはＩＭＧ３１）の第１領域ＰＩ１の階調より高い前記第１階調を有することができる。
【０２０１】
確認信号（ＣＨＫ）が前記第２論理レベルを有する場合に（ステップＳ６１０：いいえ）、第１映像（ＩＭＧ２１またはＩＭＧ３１）を変調しないことがある（ステップＳ６３５）。
【０２０２】
第１映像（ＩＭＧ２１またはＩＭＧ３１）が変調された後に第１映像（ＩＭＧ２１またはＩＭＧ３１）内で前記第１階調と同一な階調を有する他の領域が存在するかを確認することができる（ステップＳ６４０）。
【０２０３】
第１映像ＩＭＧ３１の第１領域ＰＩ１と異なる第１映像ＩＭＧ３１の第２領域ＰＩ３の階調が前記第１階調である場合に（ステップＳ６４０：はい）、第１映像ＩＭＧ３１を追加で変調することができ（ステップＳ６５０）、表示パネル７０は変調された第１映像ＩＭＧ３１’を表示することができる。例えば、変調された第１映像ＩＭＧ３１’の第２領域ＰＩ３’は前記第１階調より高い第２階調を有することができる。
【０２０４】
第１映像ＩＭＧ２１内に前記第１階調を有する領域が存在しない場合に（ステップＳ６４０：いいえ）、追加的な変調動作を遂行しないことがある。
【０２０５】
一方、前述した階調確認動作は表示装置に含まれるタイミング制御部により遂行されることができ、前述した選択的変調動作は表示装置に含まれるタイミング制御部またはデータ駆動部により遂行できる。
【０２０６】
図３０は、本発明の実施形態に係る表示装置を示すブロック図である。
【０２０７】
図３０を参照すると、表示装置８００はパネル駆動部８１０及び表示パネル８２０を含む。
【０２０８】
表示装置８００は、図１から図１２を参照して前述したように、現在映像の階調を確認するか、または現在映像及び次の映像の階調を確認し、前記階調確認結果によって各画素に含まれる有機発光ダイオードに初期化電圧（ＶＩＮＴ）を印加する選択的ＢＣＢ動作を遂行することができる。また、表示装置８００は、図１３から図２９を参照して前述したように、画面転換が発生する場合に現在映像及び次の映像の階調を確認し、前記階調確認結果によって現在映像の階調を選択的に変更する動作を追加で遂行することができる。
【０２０９】
具体的に、パネル駆動部８１０は複数のデータ信号（ＤＳまたはＤＳ’）のうち、第１データ信号に基づいて第１映像に対する階調確認動作を遂行するか、または前記第１映像及び前記第１映像の以後の第２映像に対する階調確認動作を遂行して第１初期化制御信号を発生し、前記第１初期化制御信号に基づいて第１画素内の第１初期化部を活性化させ、これによって前記第１映像が表示される間に前記第１画素内の第１有機発光ダイオードに初期化電圧（ＶＩＮＴ）が印加される。また、パネル駆動部８１０は前記第１映像及び前記第１映像の以後の第２映像に対する階調確認動作を遂行することができ、前記階調確認動作の結果に基づいて前記第１映像に対する変調動作を遂行することができる。
【０２１０】
図３１は、本発明の実施形態に係る表示装置を含む電子機器を示すブロック図である。図３２ａ及び図３２ｂは、図３１の電子機器がテレビ及びスマートフォンで具現された例を示す図である。
【０２１１】
図３１、図３２ａ、及び図３２ｂを参照すると、電子機器１０００は、プロセッサ１０１０、メモリ１０２０、格納装置１０３０、表示装置１０４０、入出力装置１０５０、及び電源装置１０６０を含む。
【０２１２】
実施形態に従って、電子機器１０００は、図３２ａに示すように、テレビで具現されることもでき、図３２ｂに示すように、スマートフォン（Smart Phone）で具現することもできる。図示してはいないが、電子機器１０００は、ＰＣ（Personal Computer）、サーバコンピュータ（Server Computer）、ワークステーション（Workstation）、ディジタルＴＶ（Digital Television）、セットトップボックス（Set-Top Box）などの任意のコンピューティングシステムで具現されるか、または携帯電話（Mobile Phone）、タブレット（Tablet）ＰＣ（Personal Computer）、ノートブック（Laptop Computer）、個人情報端末機（Personal Digital Assistant；ＰＤＡ）、携帯型マルチメディアプレーヤ（Portable Multimedia Player；ＰＭＰ）、ディジタルカメラ（Digital Camera）、音楽再生機（Music Player）、携帯用ゲームコンソール（Portable Game Console）、ナビゲーション（Navigation）システムなどの任意のモバイル機器で具現できる。前記モバイル機器は、ウェアラブル（wearable）機器、事物インターネット（Internet of Things：ＩｏＴ）機器、万物のインターネット（Internet of Everything：ＩｏＥ）機器、イ−ブック（e−book）などをさらに含むことができる。
【０２１３】
プロセッサ１０１０は特定の計算またはタスクのような多様なコンピューティング機能を実行することができる。例えば、プロセッサ１０１０はＣＰＵ（central processing unit）、マイクロプロセッサ、ＡＰ（application processor）などの任意のプロセッサでありうる。
【０２１４】
メモリ１０２０及び格納装置１０３０は、電子機器１０００の動作に必要なデータ及び／又はプロセッサ１０１０により処理されるデータを格納することができる。例えば、メモリ１０２０はＤＲＡＭ（Dynamic Random Access Memory）、ＳＲＡＭ（Static Random Access Memory）などの少なくとも１つの揮発性メモリ及び／又はＥＥＰＲＯＭ（Electrically Erasable Programmable Read-Only Memory）、フラッシュメモリ（Flash Memory）、ＰＲＡＭ（Phase Change Random Access Memory）、ＲＲＡＭ（登録商標）（Resistance Random Access Memory）、ＮＦＧＭ（Nano Floating Gate Memory）、ＰｏＲＡＭ（Polymer Random Access Memory）、ＭＲＡＭ（Magnetic Random Access Memory）、ＦＲＡＭ（登録商標）（Ferroelectric Random Access Memory）などの少なくとも１つの不揮発性メモリを含むことができる。例えば、格納装置１０３０は、ＳＳＤ（Solid State Drive）、ＨＤＤ（Hard Disk Drive）、ＣＤ−ＲＯＭなどを含むことができる。
【０２１５】
入出力装置１０５０は、キーボード、キーパッド、タッチパッド、タッチスクリーン、マウスなどの入力手段、及びスピーカー、プリンタなどの出力手段を含むことができる。電源装置１０６０は、電子機器１０００の動作に必要な電源を供給することができる。
【０２１６】
表示装置１０４０は、本発明の実施形態に係る表示装置でありうる。例えば、表示装置１０４０は、図１から１２を参照して前述したように現在映像の階調を確認するか、または現在映像及び次の映像の階調を確認し、前記階調確認結果によって各画素に含まれる有機発光ダイオードに初期化電圧を印加する選択的ＢＣＢ動作を遂行することができ、図１３から図２９を参照して前述したように画面転換が発生する場合に現在映像及び次の映像の階調を確認し、前記階調確認結果によって現在映像の階調を選択的に変更する動作を遂行することもでき、図３０を参照して前述したように、前記の２つ動作を実質的に同時に遂行することもできる。したがって、表示不良が防止され、表示装置１０４０の表示品質を向上できる。
【産業上の利用可能性】
【０２１７】
本発明は表示装置及びこれを含む多様な装置及びシステムに適用できる。したがって、本発明は、携帯電話、スマートフォン、ＰＤＡ、ＰＭＰ、ディジタルカメラ、キャムコーダ、ＰＣ、サーバコンピュータ、ワークステーション、ノートブック、ディジタルＴＶ、セットトップボックス、音楽再生機、携帯用ゲームコンソール、ナビゲーションシステム、スマートカード、プリンタなどの多様な電子機器に有用に利用できる。
【０２１８】
前記では本発明の好ましい実施形態を参照して説明したが、該当技術分野の熟練した当業者は特許請求範囲に記載された本発明の思想及び領域から逸脱しない範囲内で本発明を多様に修正及び変更させることができることを理解することができる。
【符号の説明】
【０２１９】
１０  表示装置
２０  パネル駆動部
３０  表示パネル
５０  表示装置
６０  パネル駆動部
７０  表示パネル
１００  表示装置
２１０  タイミング制御部
２２０  データ駆動部
２３０  スキャン駆動部
２４０  発光駆動部
２５０  給電部
２６０  初期化制御部
３００  表示パネル
５００  表示装置
６１０  タイミング制御部
６１１  階調確認部
６１３  映像処理部
６１４  映像処理部
６１５  制御信号発生部
６２０  データ駆動部
６２１  シフトレジスタ
６２３  データラッチ
６２５  ディジタル−アナログコンバータ
６２７  出力バッファ
６２９  階調変調部
６３０  スキャン駆動部
６４０  発光駆動部
６５０  給電部
７００  表示パネル
８００  表示装置
８１０  パネル駆動部
８２０  表示パネル
１０００  電子機器
１０１０  プロセッサ
１０２０  メモリ
１０３０  格納装置
１０４０  表示装置
１０５０  入出力装置
１０６０  電源装置
【図１】
2018013766.tif 000003
【図２ａ】
2018013766.tif 000004
【図２ｂ】
2018013766.tif 000005
【図３】
2018013766.tif 000006
【図４】
2018013766.tif 000007
【図５ａ】
2018013766.tif 000008
【図５ｂ】
2018013766.tif 000009
【図６】
2018013766.tif 000010
【図７】
2018013766.tif 000011
【図８】
2018013766.tif 000012
【図９】
2018013766.tif 000013
【図１０】
2018013766.tif 000014
【図１１ａ】
2018013766.tif 000015
【図１１ｂ】
2018013766.tif 000016
【図１２】
2018013766.tif 000017
【図１３】
2018013766.tif 000018
【図１４ａ】
2018013766.tif 000019
【図１４ｂ】
2018013766.tif 000020
【図１４ｃ】
2018013766.tif 000021
【図１５】
2018013766.tif 000022
【図１６ａ】
2018013766.tif 000023
【図１６ｂ】
2018013766.tif 000024
【図１７ａ】
2018013766.tif 000025
【図１７ｂ】
2018013766.tif 000026
【図１７ｃ】
2018013766.tif 000027
【図１８ａ】
2018013766.tif 000028
【図１８ｂ】
2018013766.tif 000029
【図１９】
2018013766.tif 000030
【図２０】
2018013766.tif 000031
【図２１】
2018013766.tif 000032
【図２２】
2018013766.tif 000033
【図２３】
2018013766.tif 000034
【図２４】
2018013766.tif 000035
【図２５】
2018013766.tif 000036
【図２６】
2018013766.tif 000037
【図２７】
2018013766.tif 000038
【図２８】
2018013766.tif 000039
【図２９】
2018013766.tif 000040
【図３０】
2018013766.tif 000041
【図３１】
2018013766.tif 000042
【図３２ａ】
2018013766.tif 000043
【図３２ｂ】
2018013766.tif 000044